(57)【要約】    【課題】本発明は、２つ以上の放送チャンネルから同時に放送データを受信して效果的に再生する放送用端末機及びその放送データの再生方法を提供するためのものである。    【解決手段】本発明は、第１放送チャンネルを介して受信されるデータを再生する第１放送再生ステップと、第１放送チャンネルを介して受信されるデータの再生中、第２放送チャンネルを介して受信されるデータを格納する格納ステップと、第１放送チャンネルを介して受信されるデータの再生中、または、終了時、第２放送チャンネルを介して受信されるデータの格納を続けながら格納された第２放送チャンネルのデータを特定の過去時点から再生する第２放送再生ステップとを含む放送用端末機の放送データ再生方法を提供する。【選択図】図９
2008113405.tif 000002
【特許請求の範囲】
【請求項１】
受信機で第１放送チャンネルを介して第１データを受信するステップと、
前記第１データを再生するステップと、
前記受信機で第２放送チャンネルを介して第２データを受信するステップと、
前記第１データの再生中に前記第２データが受信された場合、前記第１データの再生中に受信された前記第２データのセグメント（a segment）を格納するステップと、
前記第１データの少なくとも一部分が再生された後、前記第２データの格納されたセグメントを再生するステップと、
前記第２データの格納されたセグメントが再生された後、前記第２データの格納されたセグメントの再生速度と異なる再生速度で、前記受信された第２データを再生するステップと、
を含む受信機の放送データ再生方法。
【請求項２】
前記第２データの格納されたセグメントの再生長さが前記受信された第２データの連続的な再生長さ（continuous playback length）と一致する時まで、前記受信された第２データのセグメントが格納されることを特徴とする請求項１記載の受信機の放送データ再生方法。
【請求項３】
前記セグメントは、
前記第１データの再生中に受信された前記第２データの一番目の部分と、
前記第１データの再生の終了後から前記受信された第２データの再生の開始前まで受信された前記第２データの２番目の部分と、
を含むことを特徴とする請求項１記載の受信機の放送データ再生方法。
【請求項４】
前記受信機が移動端末機であることを特徴とする請求項１記載の受信機の放送データ再生方法。
【請求項５】
前記第１データの再生の終了後に、前記第２データの格納されたセグメントが再生されることを特徴とする請求項１記載の受信機の放送データ再生方法。
【請求項６】
前記第２データの格納されたセグメントが自動に再生されることを特徴とする請求項１記載の受信機の放送データ再生方法。
【請求項７】
前記第２データの格納されたセグメントの再生速度が前記受信された第２データの再生速度より速いことを特徴とする請求項１記載の受信機の放送データ再生方法。
【請求項８】
前記第２放送データは、視聴予約がされたプログラムに係る放送データであることを特徴とする請求項１記載のデジタル放送受信装置の放送データ再生方法。
【請求項９】
前記第１データを受信するために第１予約を設定するステップと、
前記第１予約によって前記第１データを受信し、前記第１データを再生するステップと、
第２データを受信するために第２予約を設定するステップと、
前記第２データを受信するための前記第２予約中に前記第１データが再生される場合、前記受信された第２データを格納するステップと、
を更に含むことを特徴とする請求項１記載の受信機の放送データ再生方法。
【請求項１０】
第１放送チャンネルを介して第１データを受信し、第２放送チャンネルを介して第２データを受信するための受信機と、
前記第１データの再生中に前記第２データが受信された場合、前記第１データの再生中に受信された前記第２データのセグメントを格納し、前記第１データの少なくとも一部分が再生された後、前記第２データの格納されたセグメントを再生し、前記第２データの格納されたセグメントが再生された後、前記第２データの格納されたセグメントの再生速度とは異なる再生速度で、前記受信された第２データを再生する制御部と、
を含む放送データ再生用移動端末機。
【請求項１１】
前記第２データの格納された部分の再生長さが前記受信された第２データの連続的な再生長さ（continuous playback length）と一致する時まで前記第２データのセグメントが格納されることを特徴とする請求項１０記載の放送データ再生用移動端末機。
【請求項１２】
前記セグメントは、
前記第１データの再生中に受信された前記第２データの一番目の部分と、前記第１データの再生の終了後から前記受信された第２データの再生の開始前まで受信された前記第２データの２番目の部分を含むことを特徴とする請求項１０記載の放送データ再生用移動端末機。
【請求項１３】
前記第１データの再生の終了後に前記第２データの格納されたセグメントが再生されることを特徴とする請求項１０記載の放送データ再生用移動端末機。
【請求項１４】
前記第２データの格納されたセグメントが自動に再生されることを特徴とする請求項１０記載の放送データ再生用移動端末機。
【請求項１５】
前記第２データの格納されたセグメントの再生速度が前記受信された第２データの再生速度より速いことを特徴とする請求項１０記載の放送データ再生用移動端末機。
【請求項１６】
前記制御部は、前記第２データを受信するために予約を設定し、前記第２データを受信するための予約中、前記第１データが再生される場合、前記受信された第２データを格納することを特徴とする請求項１０記載の放送データ再生用移動端末機。
【請求項１７】
前記制御部は、前記第１データを受信するために第１予約を設定し、
前記受信機は、前記第１予約によって前記第１データを受信し、
前記制御部が前記第１予約によって前記第１データを再生し、前記第２データを受信するために第２予約を設定し、前記第２予約によって前記第１データが再生される場合、前記受信された第２データを格納することを特徴とする請求項１０記載の放送データ再生用移動端末機。
【請求項１８】
前記受信機は、多重チューナ（multiple-tuner）と複数の単一チューナ（a plurality of single-tuners）のうち、少なくとも１つを含むことを特徴とする請求項１０記載の放送データ再生用移動端末機。
【請求項１９】
受信機で第１放送チャンネルを介して第１データを受信するステップと、
前記第１データを再生するステップと、
前記受信機で第２放送チャンネルを介して受信された第２データを受信するための予約を設定するステップと、
前記第１データの再生持続時間が第２データを受信するための前記予約時点と重複するかどうかを判断するステップと、
前記第１データの再生持続時間が第２データを受信するための前記予約時点と重複する場合、予約開始時点から受信された第２データを格納するステップと、
を含む受信機の放送データ再生方法。
【請求項２０】
前記第１データの少なくとも一部分が再生された後、前記第２データの格納されたセグメントを再生することを特徴とする請求項１９記載の受信機の放送データ再生方法。
【請求項２１】
前記受信機は移動端末機であることを特徴とする請求項１９記載の受信機の放送データ再生方法。
【請求項２２】
前記格納された第２データの再生速度が前記第２データの原再生速度（original playback speed）と異なることを特徴とする請求項２０記載の受信機の放送データ再生方法。
【請求項２３】
前記格納された第２データの再生長さが前記受信された第２データの連続的な再生長さと一致する時まで前記第２データのセグメントが格納されることを特徴とする請求項２０記載の受信機の放送データ再生方法。
【請求項２４】
前記格納された第２データが再生された後、前記受信された第２データを再生することを更に含むことを特徴とする請求項２０記載の受信機の放送データ再生方法。
【請求項２５】
前記格納された第２データは使用者の命令（a user command）によって再生されることを特徴とする請求項２０記載の受信機の放送データ再生方法。
【請求項２６】
前記第１データの再生が終了される際、前記格納された第２データが再生されることを特徴とする請求項２０記載の受信機の放送データ再生方法。
【請求項２７】
前記第２データの格納されたセグメントが自動に再生されることを特徴とする請求項２０記載の受信機の放送データ再生方法。
【請求項２８】
前記格納された第２データが前記格納された第２データの開始時点から再生されることを特徴とする請求項２０記載の受信機の放送データ再生方法。
【請求項２９】
前記第１データの受信のために予約を設定するステップと、
前記第１予約によって前記第１データを受信し、前記第１データを再生するステップと、
を更に含むことを特徴とする請求項１９記載の受信機の放送データ再生方法。
【請求項３０】
前記格納された第２データの再生が終了された以後に前記格納された第２データを削除することを更に含むことを特徴とする請求項２０記載の受信機の放送データ再生方法。
【請求項３１】
前記受信された第２データが格納されていることを通知するステップを更に含むことを特徴とする請求項２０記載の受信機の放送データ再生方法。
【請求項３２】
電子プログラミングガイド（electronic programming guide）を格納するステップを更に含むことを特徴とする請求項１９記載の受信機の放送データ再生方法。
【請求項３３】
前記受信された第２データを周期的に格納するステップを更に含むことを特徴とする請求項１９記載の受信機の放送データ再生方法。
【請求項３４】
第１放送チャンネルを介して第１データを受信し、第２放送チャンネルを介して第２データを受信する受信機と、
前記第１データを再生し、第２放送チャンネルを介して第２データを受信するための予約を設定し、前記第１データの再生持続時間が第２放送チャンネルを介して第２データを受信するための前記予約と重複するかどうかを判断し、前記第１データの再生持続時間が第２放送チャンネルを介して第２データを受信するための前記予約と重複する場合、予約時点から受信された第２データを格納し、前記第１データの少なくとも一部分が再生された後に前記格納された第２データを再生する制御部と、
を含む放送データ再生用移動端末機。
【請求項３５】
前記格納された第２データの再生速度が前記第２データの原再生速度（original playback speed）と異なることを特徴とする請求項３４記載の放送データ再生用移動端末機。
【請求項３６】
前記格納された第２データの再生長さが前記受信された第２データの連続再生長さと一致する時まで前記受信された第２データが格納されることを特徴とする請求項３４記載の放送データ再生用移動端末機。
【請求項３７】
前記制御部は、前記格納された第２データの再生後に前記受信された第２データを再生することを特徴とする請求項３４記載の放送データ再生用移動端末機。
【請求項３８】
前記格納された第２データは使用者の命令によって再生されることを特徴とする請求項３４記載の放送データ再生用移動端末機。
【請求項３９】
前記第１データが終了される際、前記格納された第２データが再生されることを特徴とする請求項３４記載の放送データ再生用移動端末機。
【請求項４０】
前記格納された第２データが自動に再生されることを特徴とする請求項３４記載の放送データ再生用移動端末機。
【請求項４１】
前記格納された第２データが前記格納された第２データの開始時点から再生されることを特徴とする請求項３４記載の放送データ再生用移動端末機。
【請求項４２】
前記制御部が前記第１データを受信するために予約を設定し、
前記受信機が第１データを受信するための前記予約中に第１データを受信し、
前記制御部が前記第１データを受信するための前記予約中に前記第１データを再生することを特徴とする請求項３４記載の放送データ再生用移動端末機。
【請求項４３】
前記格納された第２データの再生が終了された以後に前記制御部が前記格納された第２データを削除することを特徴とする請求項３４記載の放送データ再生用移動端末機。
【請求項４４】
前記制御部は、前記受信された第２データが格納されていることを通知することを特徴とする請求項３４記載の放送データ再生用移動端末機。
【請求項４５】
前記制御部が電子プログラミングガイド（electronic programming guide）を受信することを特徴とする請求項３４記載の放送データ再生用移動端末機。
【請求項４６】
前記制御部は、前記受信された第２データを周期的に格納することを特徴とする請求項３４記載の放送データ再生用移動端末機。
【請求項４７】
前記受信機が多重チューナ（multiple-tuner）と複数の単一チューナ（a plurality of single-tuners）のうち、少なくとも１つを含むことを特徴とする請求項３４記載の放送データ再生用移動端末機。
【請求項４８】
受信機の第１放送チャンネルを介して第１データを受信するステップと、
前記第１データの再生を実行するステップと、
少なくとも１つの付加された放送チャンネルを介して少なくとも１つの付加されたデータを各々受信するために、少なくとも１つの予約を設定するステップと、
前記第１データの再生持続時間が少なくとも１つの予約時点と重複するかどうかを判断するステップと、
前記第１データの再生持続時間が少なくとも１つの予約時点と重複する場合、各々の予約の開始時点から少なくとも１つの受信された付加データを格納するステップと、
前記第１データの少なくとも一部分が再生された後、前記格納された少なくとも１つの付加データを再生するステップと、
を含む受信機の放送データ再生方法。
【発明の詳細な説明】
【技術分野】
【０００１】
本発明は、放送データの再生方法に関するものである。
【背景技術】
【０００２】
一般に、放送用端末機は、１つの放送チャンネルから受信した放送データを再生したり、受信した放送データをメモリに格納してから今後に再生することができた。
【０００３】
しかしながら、一般的な放送用端末機は、２つ以上の放送チャンネルから同時に放送データを受信して格納または再生することができなかった。
【発明の開示】
【発明が解決しようとする課題】
【０００４】
本発明は、２つ以上の放送チャンネルから同時に放送データを受信して效果的に再生する放送用端末機及びその放送データの再生方法を提供する。
【課題を解決するための手段】
【０００５】
上記の目的を達成するための本発明の一側面によれば、受信機で第１放送チャンネルを介して第１データを受信するステップと、上記第１データを再生するステップと、受信機で第２放送チャンネルを介して第２データを受信するステップと、第１データの再生中に第２データが受信された場合、第１データの再生中に受信された第２データのセグメント（a segment）を格納するステップと、第１データの少なくとも一部分が再生された後、第２データの格納されたセグメントを再生するステップと、第２データの格納されたセグメントが再生された後、第２データの格納されたセグメントの再生速度と異なる再生速度で、受信された第２データを再生するステップと、を含む受信機の放送データ再生方法が提供される。
【０００６】
本発明の他の側面によれば、第１放送チャンネルを介して第１データを受信し、第２放送チャンネルを介して第２データを受信するための受信機と、第１データの再生中に第２データが受信された場合、第１データの再生中に受信された第２データのセグメントを格納し、第１データの少なくとも一部分が再生された後、第２データの格納されたセグメントを再生し、第２データの格納されたセグメントが再生された後、第２データの格納されたセグメントの再生速度とは異なる再生速度で、受信された第２データを再生する制御部と、を含む放送データ再生用移動端末機が提供される。
【０００７】
本発明の更に他の側面によれば、受信機で第１放送チャンネルを介して第１データを受信するステップと、第１データを再生するステップと、受信機で第２放送チャンネルを介して受信された第２データを受信するための予約を設定するステップと、第１データの再生持続時間が第２データを受信するための予約時点と重複するかどうかを判断するステップと、第１データの再生持続時間が第２データを受信するための予約時点と重複する場合、予約開始時点から受信された第２データを格納するステップと、を含む受信機の放送データ再生方法が提供される。
【０００８】
本発明の更に他の側面によれば、第１放送チャンネルを介して第１データを受信し、第２放送チャンネルを介して第２データを受信する受信機と、第１データを再生し、第２放送チャンネルを介して第２データを受信するための予約を設定し、第１データの再生持続時間が第２放送チャンネルを介して第２データを受信するための予約と重複するかどうかを判断し、第１データの再生持続時間が第２放送チャンネルを介して第２データを受信するための予約と重複する場合、予約時点から受信された第２データを格納し、第１データの少なくとも一部分が再生された後に格納された第２データを再生する制御部と、を含む放送データ再生用移動端末機が提供される。
【０００９】
本発明の更に他の側面によれば、受信機の第１放送チャンネルを介して第１データを受信するステップと、第１データの再生を実行するステップと、少なくとも１つの付加された放送チャンネルを介して少なくとも１つの付加されたデータを各々受信するために、少なくとも１つの予約を設定するステップと、第１データの再生持続時間が少なくとも１つの予約時点と重複するかどうかを判断するステップと、第１データの再生持続時間が少なくとも１つの予約時点と重複する場合、各々の予約の開始時点から少なくとも１つの受信された付加データを格納するステップと、第１データの少なくとも一部分が再生された後、格納された少なくとも１つの付加データを再生するステップと、を含む受信機の放送データ再生方法が提供される。
【００１０】
本発明の前述した目的、特徴、及び長所は、添付した図面と関連した次の詳細な説明を通じてより明らかになるはずである。以下、添付した図面を参照して本発明に係る好ましい実施例を詳細に説明する。明細書の全体に亘って、同一な参照番号は同一な構成要素を示す。また、本発明と関連した公知機能あるいは構成に対する具体的な説明が本発明の要旨を曖昧にすることができると判断される場合、その詳細な説明は省略する。
【発明の効果】
【００１１】
本発明は、２つ以上の放送チャンネルから同時に放送データを受信して效果的に再生することができる効果がある。
【発明を実施するための最良の形態】
【００１２】
本発明でいう放送規格は、例えば、Ｅｕｒｅｋａ−１４７に基づいたヨーロッパのＤＡＢ（Digital Audio Broadcasting）、ＤＶＢ−Ｈ（Digital Video Broadcasting-Handheld）、米国のＭｅｄｉａ ＦＬＯ（Forward Link Only）、韓国のＤＭＢ（Digital Multimedia Broadcasting）、日本のＩＳＤＢ−Ｔ（Integrated Service Digital Broadcasting-Terrestrial）等であり得る。韓国のＤＭＢは、Ｅｕｒｅｋａ−１４７に基づいたＴ−ＤＭＢ（Terrestrial-Digital Multimedia Broadcasting）と、衛星通信を利用するＳ−ＤＭＢ（Satellite-Digital Multimedia Broadcasting）に分類されることができる。
【００１３】
一方、上記には主に移動型ディジタル放送を例に挙げたが、本発明でいう放送規格が必ずこれに限るのではない。即ち、本発明での放送規格は、米国の米国式ディジタルＴＶ規格（ＡＴＳＣ）である８−ＶＳＢ、ヨーロッパのＤＶＢ−Ｔ（Digital Broadcasting-Terrestrial）のような固定型放送規格を含む。
【００１４】
放送用端末機
図１は、本発明の一実施例に係る放送用端末機の概略的なブロック構成図である。図２Ａは、本発明の一実施例に係る放送用端末機において、放送信号の流れを示すためのブロック構成図である。
【００１５】
図１及び図２Ａを参照すれば、本発明の一実施例に係る放送用端末機１０は、放送受信モジュール１００、入力部１１０、制御部１２０、メモリ１３０、表示部１４０、オーディオ処理部１５０、移動通信モジュール１６０、スイッチング部（switching unit）２００及びＡ／Ｖデコーディング部（Audio／Video decoding unit）２１０を含む。
【００１６】
放送受信モジュールまたは装置１００は、放送網から放送信号を受信する無線通信装置である。放送受信モジュール１００は、各種ディジタル放送規格によって放送センターから放送された放送信号を受信する装置であって、受信した放送信号を制御部１２０や他の装置に伝送する。また、放送受信モジュール１００は、受信した放送信号を制御部または他の装置に伝送する前に、バッファに受信された放送信号を格納することもできる。このように、放送受信モジュール１００を含む放送用端末機または放送受信（再生）装置１０は、各種ディジタル放送規格によって放送センターから提供する多様な放送コンテンツまたは放送データを表示部１４０やスピーカ（ＳＰＫ）を介して音声、映像、または文字などに再生することができる。
【００１７】
放送受信モジュールまたは装置１００は、少なくとも２つの放送チャンネルから放送データを受信することができる。放送受信モジュール１００は１つのチューナ部１０２を含む。放送受信モジュール１００は１つのチューナ部１０２を用いて２つのチャンネルの２つの放送信号を受信する。
【００１８】
入力部または入力装置１１０は、周辺装置や使用者と疎通するインターフェースである。入力部１１０は、多数のキーボタンが形成されたキーパッドや、各種方向キーが形成されたナビゲーションキー、回転量によって入力が選択されるゾグ装置、音声認識装置が内蔵された音声入力装置、タッチパッドやタッチスクリーンのようなタッチ入力装置、無線リモコンなどであり得る。入力装置１１０を介して周辺装置や使用者から放送用端末機１０に各種情報や命令、例えば放送受信または予約、再生と関連した情報や命令が入力される。
【００１９】
メモリ１３０は、放送用端末機１０、特に制御部１２０の処理及び制御のためのプログラム、参照データ、更新可能な各種保管用データなどを格納することができる。メモリ１３０は削除要請のない場合、永久的に格納するだけでなく、各種バッファーのように、一時的に格納する内蔵型または外蔵型格納媒体または格納装置を含む。
【００２０】
メモリ１３０は前述または後述する放送受信及び予約、再生を遂行することに必要とする全てのプログラムと入出力されるデータ及び処理される各種データなどを制御部１２０の制御下に多様なデータ構造（data structure）を用いて格納していたり格納することができる格納空間を提供する。
【００２１】
一方、メモリ１３０は、制御部１２０の制御下に放送受信モジュール１００を介して少なくとも２つの放送チャンネルから受信した多様な放送データを格納することができる。メモリ１３０に格納された放送データは、制御部１２０の制御下に特定の時点、例えば放送再生後に削除されることができる。
【００２２】
表示部または表示装置１４０は、制御部１２０の制御によって放送用端末機１０の各種処理及び制御動作、各種画像などを表示する。表示部１４０は上記で例示した放送受信及び予約、再生と関連した多様な情報や命令の入力などを画面を介して提供する。表示部１４０を介して表示される多様な情報や命令の入力などにより使用者は放送用端末機１０の各種処理及び制御動作の進行状況が分かる。
【００２３】
オーディオ処理部１５０は、マイク（ＭＩＣ）とスピーカ（ＳＰＫ）を介して音声を入出力するように音声を処理する。オーディオ処理部１５０は、放送用端末機１０の各種処理及び制御動作をスピーカ（ＳＰＫ）を介して音声で出力したり、各種情報や命令をマイク（ＭＩＣ）を介して音声で入力するように音声を処理する。例えば、放送用端末機１０の各種放送受信、予約、及び再生と関連した各種情報や命令をマイク（ＭＩＣ）を介して入力受けて、入力部１１０の中の１つの音声認識装置が内蔵された音声入力装置を用いて制御部１２０に伝達することができる。
【００２４】
移動通信モジュール１６０は、移動通信網との音声またはデータ送受信のための無線通信装置である。移動通信モジュール１６０は本発明の具現のための必須的な構成要素ではないが、本発明の具現のための放送受信機能の他にも音声通話を主目的とする通信機能を同時に具現する場合に必要とする構成要素である。
【００２５】
このように、移動通信モジュール１６０を含む放送用端末機１０は音声通話やメッセージ伝送、ウェブページ接続、データ送受信、電話接続、インスタントメッセンジャーなど、現在または将来の多様な通信を遂行することができる。
【００２６】
このように、放送用端末機１０は種々なる形態で具現されることができる。例えば、ディジタル放送信号のみを受信する放送専用端末機、前述した移動通信モジュール１６０を含む移動通信端末機と結合された放送用移動通信端末機、ナビゲーション機能と結合した形態のディジタル放送用端末機、モニターと結合された放送再生可能なディスプレイ装置であり得る。
【００２７】
図２Ｂを参照すれば、放送信号は第１チューナ部１０２と第２チューナ部１０４を介して受信される。スイッチング部２００は、制御部１２０から伝えられる制御信号によって、第１チューナ部１０２及び第２チューナ部１０４を介して各々受信される放送信号をメモリ１３０及びＡ／Ｖデコーディング部２１０のうち、いずれか１つに伝達する。
【００２８】
Ａ／Ｖデコーディング部２１０は、スイッチング部２００から伝えられる放送信号をデコーディングし、表示部１４０及び／又はスピーカ（ＳＰＫ）を介して出力する。Ａ／Ｖデコーディング部２１０は前述したオーディオ処理部１５０と一体型であることができ、または、別途に備えられることもできる。
【００２９】
この際、スイッチング部２００とＡ／Ｖデコーディング部２１０はハードウェアー的に具現されることもでき、または、ソフトウェア的に具現されることもできる。また、これらは専用プロセッサーや専用チップで具現されることもでき、制御部１２０と一体型で制御部１２０に吸収されて具現されることもできる。
【００３０】
制御部１２０は、前述した構成要素を制御し、本発明に係る放送用端末機１０の全般的な動作を総括する。以下、制御部１２０の動作を中心として本発明の一実施例に係る放送用端末機１０の動作を詳細に説明する。
【００３１】
まず、第１チューナ部１０２は第１放送チャンネルから第１放送データを受信して、第２チューナ部１０４は第２放送チャンネルから第２放送データを受信すると仮定する。
【００３２】
この第１放送チャンネルと第２放送チャンネルは、同一な放送規格によるものであり、各々互いに異なるマルチメディアコンテンツを放送するチャンネルであり得る。マルチメディアコンテンツを放送するチャンネルは、ビデオチャンネル、オーディオチャンネル、及びデータチャンネルのうち、いずれか１つであり得る。例えば、第１放送チャンネルと第２放送チャンネルは両方とも地上波ディジタルマルチメディア放送（Ｔ−ＤＭＢ）により放送されるチャンネルで、かつ、第１放送チャンネルはビデオチャンネルであり、第２放送チャンネルはオーディオチャンネルである。
【００３３】
また、第１放送チャンネルと第２放送チャンネルは、各々互いに異なるディジタル放送規格によるチャンネルであり得る。例えば、上記第１放送チャンネルは地上波ディジタルマルチメディア放送（Ｔ−ＤＭＢ）により放送されるチャンネルであり、上記第２放送チャンネルは衛星ディジタルマルチメディア放送（Ｓ−ＤＭＢ）により放送されるチャンネルである。
【００３４】
図３は、本発明の一実施例に係る放送用端末機が２つの放送チャンネルを介して放送データを受信、格納、及び再生する時間的な関係を示す図である。
【００３５】
図１及び図２Ａ、図２Ｂ、図３を参照すれば、第１放送データは放送受信モジュール１００を介して受信され再生される（図３のＡ、Ｂ、Ｃ区間）。第１放送データの再生中、追加的な放送データが少なくとも１つの他の放送チャンネルを介して受信されることができる。例えば、第２放送データが第２放送チャンネルを介して受信されることができる。しかしながら、第１放送データが再生される一方、第２放送データは再生されないこともできる。したがって、第１放送データの再生中、制御部１２０は、放送受信モジュール１００を介して第１放送チャンネルから受信される第１放送データを再生中（図３のＡ、Ｂ、Ｃ区間）、少なくとも１つの第２放送チャンネルから受信される少なくとも１つの第２放送データをメモリ１３０に格納するように制御する（図３のＢ、Ｃ区間）。
【００３６】
具体的に、入力部１１０を介した命令信号によって第１放送チャンネルに切り換える場合、制御部１２０はスイッチング部２００を制御して第１チューナ部１０２を介して受信される第１放送データをＡ／Ｖデコーディング部２１０に伝達する。Ａ／Ｖデコーディング部２１０は、スイッチング部２００から伝達された第１放送データをデコーディングして表示部１４０及び／又はスピーカ（ＳＰＫ）を介して再生する。例えば、第１放送チャンネルから受信されるニュース”ＣＮＮ”を表示部１４０を介して再生することができる。
【００３７】
第１放送データ再生中、制御部１２０は入力部１１０を介した命令信号によってスイッチング部２００を制御して放送受信モジュール１００を介して第２放送チャンネルから受信された第２放送データがメモリ１３０に格納されるようにする。
【００３８】
即ち、制御部１２０はこの命令信号によって第２チューナ部１０４を活性化させる。活性化した第２チューナ部１０４は、第２放送チャンネルから第２放送データを受信してスイッチング部２００に伝達する。スイッチング部２００は伝達された第２放送データをメモリ１３０に伝達する。メモリ１３０は制御部１２０の制御下にスイッチング部２００から伝達された第２放送データを格納する。
【００３９】
これによって、例えば、第１放送チャンネルから受信されるドラマ“ＬＯＳＴ ２”を表示部１４０を介して再生する中に同時間に放送される第２放送チャンネルから受信する特定プログラムの開始時点、例えばドラマ“ＬＯＳＴ ２”の開始時間からメモリ１３０に格納することができる。
【００４０】
また、制御部１２０は、第１放送チャンネルから受信される第１放送データの終了時、例えば、第２放送チャンネルに切換時、受信される第２放送データの格納を続けながら格納された第２放送データを特定の過去時点から再生するように制御する（図３のＤ区間）。
【００４１】
具体的に、制御部１２０は使用者から入力部１１０を介して第２放送チャンネルに切換せよとの命令信号を伝達受ける。
【００４２】
制御部１２０は、第２放送チャンネルへの切換命令信号によって、メモリ１３０に格納された第２放送データをＡ／Ｖデコーディング部２１０でデコーディングした後、表示部１４０及び／又はスピーカ（ＳＰＫ）を介して再生するように制御する。制御部１２０が第２放送チャンネルへのチャンネル切換によって放送受信モジュール１００を制御して第２放送データを最初に再生するまでは所定の時間がかかることができる（図３のＣ区間）。なぜならば、制御部１２０がメモリ１３０に格納された第２放送データがＡ／Ｖデコーディング部２１０を経ることにより再生されるためである。したがって、制御部１２０は、第１放送チャンネルから第２放送チャンネルへの切換時、予想される所定の時間を考えて第１放送チャンネルの第１放送データの再生中に予めメモリ１３０に格納された第２放送データをＡ／Ｖデコーディング部２１０を介してデコーディングした後、切れなしに第２放送チャンネルに切換できるように制御する。
【００４３】
一方、第２チューナ部１０４を介して受信中の第２放送データは、スイッチング部２００を経てメモリ１３０に続けて格納される。
【００４４】
例えば、メモリ１３０に格納されたドラマ“ＬＯＳＴ ２”の開始時間から表示部１４０を介して再生して、リアルタイムで第２チューナ部１０４を介して受信中の第２放送データは、メモリ１３０に続けて格納する。これによって、使用者はニュース“ＣＮＮ”も視聴しながら、同時間に放送されるドラマ“ＬＯＳＴ ２”も始めから終わりまで視聴することができる。
【００４５】
第２放送チャンネルの放送データが再生される特定の過去時点は、多様な方式で使用者により設定されたり、設定後に変更されることができる。また、メモリ１３０に格納された第２放送チャンネルの放送データが特定の過去時点から再生される方式も多様であり得る。
【００４６】
図２Ｂは、図２Ａと放送受信モジュールの異なる本発明の他の実施例に係る放送用端末機で放送信号の流れを示すためのブロック構成図である。
【００４７】
本発明の他の実施例に係る放送用端末機は、放送受信モジュール１００’、入力部１１０’、制御部１２０’、メモリ１３０’、表示部１４０’、オーディオ処理部１５０’、移動通信モジュール１６０’、スイッチング部２００’及びＡ／Ｖデコーディング部２１０’を含む。
【００４８】
これらの中で、放送受信モジュール１００’を除外した残りは図１及び図２Ａを参照して説明した本発明の一実施例に係る放送用端末機１０の構成要素と実質的に同一または類似するので、詳細な説明を省略する。
【００４９】
図２Ｂに示すように、放送受信モジュール１００’は各種ディジタル放送規格によって放送センターで放送された放送信号を受信する装置であって、受信した放送信号を制御部１２０’や他の装置に伝送する。
【００５０】
放送受信モジュール１００’は、少なくとも２つのチューナ部１０２、１０４を含む。放送受信モジュール１００は、第１チューナ部１０２と第２チューナ部１０４を用いて各々互いに異なるチャンネルを介した２つの放送信号を同時に受信する。このように、放送受信モジュールを構成する方法は、図２Ａ及び図２Ｂを参照して説明した放送受信モジュール１００、１００’のように多様である。
【００５１】
以下、図１及び図３を参照して説明した本発明の一実施例に係る放送用端末機を用いて多様な方式で特定の過去時点に第２放送チャンネルの第２放送データが再生される過程を例示的に説明する。
【００５２】
放送予約
図４は、第２放送チャンネルの特定プログラムを予約した場合、本発明の一実施例に係る放送用端末機が２つの放送チャンネルを介して放送データを受信、格納、及び再生する時間的な関係を示す図である。
【００５３】
図１乃至図４を参照するが、主に図４を参照すれば、制御部１２０は、入力部１１０を介した第２放送チャンネルの特定プログラムの再生予約時、メモリ１３０に第２放送チャンネルの予約内容を格納する。ここで、第２放送チャンネルの予約内容は、放送チャンネル情報と、予約時間、放送チャンネルのプログラム情報、その他の付加情報を含む。この際、放送プログラム情報は放送受信モジュール１００を介して放送センターから周期的または非周期的に提供されたり、移動通信モジュール１６０を介して無線インターネットを用いてダウンロードしたＥＰＧ（Electronic program guide）に基づいて獲得されたものであることができる。
【００５４】
制御部１２０は、第２放送チャンネルの特定プログラムの予約時点に第１放送チャンネルの第１放送データが再生される場合、予約時点からスイッチング部２００を制御して放送受信モジュール１００を介して第２放送チャンネルから受信された第２放送データがメモリ１３０に格納されるようにする（図４のＢ区間）。
【００５５】
例えば、第２放送チャンネルから受信される特定プログラム、例えば医学ドラマ“ＨＯＵＳＥ”を予約しておいたが、“ＨＯＵＳＥ”の予約時間に第１放送チャンネルから受信される第１放送データが再生される場合、制御部１２０は第１放送データの再生を続けながら第２放送チャンネルから受信した“ＨＯＵＳＥ”を予約時間からメモリ１３０に格納されるようにする。
【００５６】
前述したように、制御部１２０は、第２放送チャンネルに切換の際、受信される第２放送データの格納を続けながら格納された第２放送データを予約時間から再生するように制御する（図４のＣ区間）。
【００５７】
これによって、使用者は医学ドラマ“ＨＯＵＳＥ”の予約時間に他の放送チャンネルの特定プログラムを視聴しても、中間から視聴、または、最終まで録画した後、始めから再生するという命令なしに、予約した医学ドラマ“ＨＯＵＳＥ”を始めから終わりまで視聴できるので、放送予約の目的を達成することができる。
【００５８】
図５は、第１及び第２放送チャンネルの特定プログラムを予約した場合、本発明の一実施例に係る放送用端末機が２つの放送チャンネルを介して放送データを受信、格納、及び再生する時間的な関係を示す図である。
【００５９】
図１乃至図３、図５を参照するが、主に図５を参照すれば、制御部１２０は、入力部１１０を介した第１及び第２放送チャンネルの特定プログラムの再生予約時、メモリ１３０に第１及び第２放送チャンネルの予約内容を格納する。
【００６０】
制御部１２０は、第１放送チャンネルの特定プログラムの予約時点に第１放送チャンネルの第１放送データを再生するように制御する。勿論、第１放送チャンネルの予約時点に他チャンネルの放送データが再生される場合、図４を参照して説明したように、他チャンネルは第１放送チャンネルに該当し、第１放送チャンネルは第２放送チャンネルに該当して図４で説明した過程が同一に適用される。
【００６１】
制御部１２０は第２放送チャンネルの特定プログラムの予約時点に予約されていた第１放送チャンネルの第１放送データが再生される場合、予約時点からスイッチング部２００を制御して放送受信モジュール１００を介して第２放送チャンネルから受信された第２放送データがメモリ１３０に格納されるようにする。
【００６２】
前述したように、制御部１２０は、第１放送チャンネルの予約時間終了時、自動的に受信される第２放送データの格納を続けながら格納された第２放送データを特定の過去時点、即ち、予約時間から再生するように制御する。
【００６３】
この際、第１放送チャンネルを予約する時と第２放送チャンネルを予約する時の先後は重要でなく、第１及び第２放送チャンネルの予約時点が重複する場合、本発明の一実施例に係る放送用端末機１０の機能が遂行される。一方、予約した時点が後日である放送チャンネル予約時、放送プログラム情報を通じて第１及び第２放送チャンネルの予約時点が重複することが分かるので、制御部１２０は第１及び第２放送チャンネルの予約プログラムが重複するという情報を表示部１４０及び／又はスピーカ（ＳＰＫ）を介して出力する。例えば、制御部１２０は第１及び第２放送チャンネルの予約プログラムが重複するという情報をポップアップ型式で表示部１４０を介して表示し、予約設定の継続の可否を尋ねることができる。
【００６４】
図６は、本発明の一実施例に係る放送用端末機が３つの放送チャンネルに適用された例を示す図である。
【００６５】
図１乃至図３、図６を参照するが、主に図６を参照すれば、制御部１２０は、入力部１１０を介した第１放送チャンネル及び第２放送チャンネルに含まれる第Ｘ放送チャンネルと第Ｙ放送チャンネルの特定プログラムの再生予約時、メモリ１３０に第１及び第２放送チャンネルの予約内容を格納する。
【００６６】
勿論、第１放送チャンネルの予約時点と第１放送チャンネルに属する第Ｘ放送チャンネルと第Ｙ放送チャンネルの予約時点のうち、１つも重複しない場合、図３を参照して説明した過程が適用されて、第１放送チャンネルと第Ｘ放送チャンネルと第Ｙ放送チャンネルの予約時点のうち、２つのみ重複する場合、図４で説明した過程が適用される。
【００６７】
第１放送チャンネルと第Ｘ放送チャンネルと第Ｙ放送チャンネルの予約時点のうち、３つが全て重複する時間領域が一部存在する場合、図６を参照して説明する過程が適用される。以下、第１放送チャンネルの予約時点と第Ｘ放送チャンネルの予約時点の一部が重複して、特定時点に全ての予約時点が重複してから第Ｘ放送チャンネルと第Ｙ放送チャンネルの予約時点が重複する場合を説明する。
【００６８】
制御部１２０は、第１放送チャンネルの特定プログラムの予約時点に第１放送チャンネルの第１放送データを再生するように制御する。
【００６９】
制御部１２０は第Ｘ放送チャンネルの特定プログラムの予約時点に予約されていた第１放送チャンネルの第１放送データが再生される場合、予約時点からスイッチング部２００を制御して放送受信モジュール１００を介して第Ｘ放送チャンネルから受信された第Ｘ放送データがメモリ１３０に格納されるようにする。
【００７０】
前述したように、制御部１２０は、第Ｘ放送チャンネルに切り換えられる前に第Ｙ放送チャンネルの特定プログラムの予約時点に到達した場合、受信される第Ｘ放送データの格納を続けながら第Ｙ放送チャンネルから受信した放送データもメモリ１３０に格納する。この際、放送用端末機１０は、第１及び第Ｘ、第Ｙ放送チャンネルから受信される３つの放送データを同時に受信しなければならないので、放送受信モジュール１００は少なくとも３つのチューナを必要とする。また、放送用端末機１０は、第Ｘ、第Ｙ放送チャンネルから受信される２つの放送データを同時に格納することができるメモリ１３０のデータ構造、種類、または個数を備えている。例えば、１つのメモリ１３０を２つ以上にパーティーションして２つ以上の放送チャンネルからパーティーションされた格納空間に格納することができる。
【００７１】
前述したように、制御部１２０は、第１放送チャンネルの予約時間終了時、自動的に受信される第Ｘ放送データの格納を続けながら格納された第Ｘ放送データを特定の過去時点、即ち、過ぎた予約時間から再生するように制御する。この際、制御部１２０は第Ｙ放送チャンネルから受信した放送データをメモリ１３０に続けて格納する。
【００７２】
制御部１２０は、第Ｘ放送チャンネルの予約時間終了時、自動的に受信される第Ｙ放送データの格納を続けながら格納された第Ｙ放送データを特定の過去時点、即ち、過ぎた予約時間から再生するように制御する。
【００７３】
結果的に、３つの放送チャンネルのプログラムが少なくとも同時に一部分が重複するにもかかわらず、放送用端末機１０を用いて予約した全てのプログラムを始めから終わりまで視聴することができる。
【００７４】
放送データの再生方式
図７Ａ乃至図７Ｅは、第１放送チャンネルと第２放送チャンネルの放送データが再生される画面である。
【００７５】
図７Ａを参照すれば、制御部１２０は第１放送チャンネルから受信した第１放送データを表示部１４０に表示する一定領域または区別される領域に第１放送チャンネルから受信した第１放送データを再生するように制御することができる。
【００７６】
例えば、図４乃至図６を参照して説明したように、第１放送チャンネルから受信した第１放送データを再生する中に、第２放送チャンネルの予約時点に到達する場合、第２放送チャンネルから受信した第２放送データをメモリ１３０に格納すると共に、前述した過程を通じて表示部１４０に表示することができる。使用者が一部画面で予約時点からリアルタイムで第２放送データを再生しながら、必要時に特定の過去時点、即ち、予約時点から一部画面で第２放送データを再生しようとする場合、このように第１放送データと第２放送データを同時に同じ画面に表示することができる。
【００７７】
勿論、第１放送チャンネルと第２放送チャンネルの放送データの再生領域の大きさや領域などは多様に調節することができる。
【００７８】
また、予約に関わらず、制御部１２０は２つの放送チャンネルから受信した２つの放送データを同時に同じ画面に再生していた中、１つの放送データの再生を中断し、その中断時点からその放送データを格納することもできる。
【００７９】
これによって、使用者は多様な他チャンネルの格納及び特定の過去時点から再生を遂行することができる。
【００８０】
図７Ｂ及び図７Ｃを参照すれば、制御部１２０は、第２放送チャンネルから受信した第２放送データを表示部１４０を介して特定の過去時点から再生中、一定領域または区別される領域に第２放送チャンネルから受信した第２放送データをリアルタイムで再生するように制御することができる。
【００８１】
この際、制御部１２０は第２放送データの過去再生とリアルタイム再生の領域の大きさを大きい画面と小さい画面に互いに転換することができる。例えば、有名なサッカー選手のサッカー競技が進行している中に、以前のゴール場面を繰り返して見たい場合、リアルタイム再生と共に過去再生を遂行することができる。
【００８２】
図７Ｄを参照すれば、表示部１４０が横方向の長い画面で映像が表示できる場合、制御部１２０は横方向の長い表示部１４０を介して第２放送チャンネルから受信した第２放送データを同時にリアルタイム再生と過去再生するように制御することができる。
【００８３】
図７Ｅを参照すれば、制御部１２０は、リアルタイムで第２放送チャンネルから受信した第２放送データと共に、リアルタイムで第１放送チャンネルから受信した第１放送データを再生することができる。その代わりに、リアルタイム第１放送データが格納された第２放送データ（過去再生）と共に同時に再生されることもできる。
【００８４】
具体的に例示してはいないが、図７Ａ乃至図７Ｅの多様な組合により放送データの多様な再生が可能であることは当然である。
【００８５】
図８Ａ及び図８Ｂは、第１放送チャンネルの放送データ再生中、第２放送チャンネルの放送データが格納されることを示す画面である。
【００８６】
図８Ａを参照すれば、制御部１２０は、第１放送データの再生中、第２放送チャンネルの第２放送データの格納の可否、または、プログラム情報のうち、少なくとも１つを第１放送チャンネルの第１放送データが再生される領域の一部または区別される領域に表示されるように制御することができる。
【００８７】
図８Ｂを参照すれば、制御部１２０は、この第２放送チャンネルの第２放送データの格納の可否またはプログラム情報のうち、少なくとも１つをポップアップ型式で表示されるように制御することができる。
【００８８】
これによって、使用者は視聴しようとする放送用端末機１０の第２放送データの格納の可否などを知っているので、安心して第１放送データの再生を視聴することができる。
【００８９】
一方、図示してはいないが、制御部は、第１放送チャンネルの第１放送データの放送終了から特定時間、例えば、３０分前から第２放送チャンネルの第２放送データをメモリ１３０に格納するように制御して、第２放送チャンネル切換時、その格納時点から第２放送データを再生することができる。
【００９０】
また、制御部１２０は第１及び第２放送チャンネルの放送データの再生予約を一定周期で繰り返されるように制御することができる。例えば、制御部１２０は一週間単位で月曜日から金曜日まで特定の時間に２つの放送チャンネルから受信された２つの放送データの重複する部分を周期的で予約再生することができる。一定周期設定は、日間、週間、月間、年間のうち、１つまたは２つ以上の設定が可能であり、これらの組合も可能である。
【００９１】
これによって、特定プログラムの放送終了前の特定時間に放送が始まる２つのプログラムを周期的に繰り返して始めから終わりまで視聴することができる。
【００９２】
制御部１２０は、前述した方法や過程と結合されて、多様な方式で過去時点から再生される速度を調節することができる。
【００９３】
また、制御部１２０は、再生された分量をメモリ１３０から削除して格納空間を效果的に活用することができる。
【００９４】
また、制御部１２０は、第２放送データの再生前に、第２放送チャンネルの第２放送データを過去時点から再生するか、リアルタイム再生するかを聞いて、前者が選択された場合に、過去時点から第２放送チャンネルの第２放送データを再生することもできる。
【００９５】
放送データ再生方法
図９は、本発明の他の実施例に係る放送用端末機の放送データ再生方法の流れ図である。
【００９６】
図４及び図９を参照して、本発明の他の実施例に係る放送用端末機の放送データ再生方法を詳細に説明すれば、次の通りである。
【００９７】
まず、第１放送チャンネルから受信される第１放送データを再生する[Ｓ５００、図４のＡ区間]。例えば、Ｓ５００ステップにおいて、使用者は第１放送チャンネルを介した放送を視聴中である。
【００９８】
そして、受信される第１放送データを再生する中、第２放送チャンネル予約時点であるかどうかを判断する[Ｓ５１０]。例えば、使用者が第２放送チャンネルを介した特定プログラムに対する視聴予約をした場合、第１放送チャンネルを介した放送視聴中、予約された特定プログラムが放送される時間になれば第２放送チャンネルに切換しなければならない状況に該当する。ここで、第１放送チャンネル及び第２放送チャンネルに関する細部的な特徴は前述したことと同一である。
【００９９】
そして、Ｓ５１０ステップの判断結果、第２放送チャンネルの予約時点の場合、第１放送チャンネルから第１放送データを受信して再生する。この際、上記第２放送チャンネルから受信した第２放送データを格納する[Ｓ５２０、図４のＢ区間]。
【０１００】
そして、受信される第１放送データを再生する中、第２放送チャンネルが選択されたかどうかを判断する[Ｓ５３０、図４のＢ区間]。例えば、使用者から第２放送チャンネルを選択せよとの命令信号を受信した場合である。即ち、使用者が第１放送チャンネルを介した放送視聴中、以前に視聴していた第２放送チャンネルを介して放送を視聴する場合である。この際、第２放送チャンネルが選択されたかどうかを決定することは使用者命令信号に依るのではない。
【０１０１】
そして、ステップＳ５３０の判断結果、第２放送チャンネルに切換しなければならない場合、受信される第２放送データの格納を続けながら格納された第２放送データをどの過去時点、予約時点から再生するように制御する[Ｓ５４０、図４のＣ区間]。
【０１０２】
そして、再生される第２放送データは削除されることができる。これによって、端末機のメモリ容量を低減し、メモリを效率よく使用することができる。
【０１０３】
一方、ステップＳ５１０乃至ステップＳ５４０による本発明に係る放送データ再生方法は、ステップＳ５００の遂行中、あるいは、その以前になされた使用者の設定によりなされることができる。
【０１０４】
図１０は、本発明の更に他の実施例に係る放送用端末機の放送データ再生方法の流れ図である。
【０１０５】
図１０を参照すれば、本発明の更に他の実施例に係る放送用端末機の放送データ再生方法のステップＳ５００’、Ｓ５１０’、Ｓ５２０’、Ｓ５３０’は、図９に示す放送用端末機の放送データ再生方法のステップＳ５００、Ｓ５１０、Ｓ５２０、Ｓ５３０と実質的に同一であるので、詳細な説明を省略する。
【０１０６】
ステップＳ５３０’の判断結果、第２放送チャンネルに切換しなければならない場合で、第２放送チャンネルを介して受信される第２放送データの特定プログラムの予約録画が終了した場合、格納された第２放送データをどの過去時点、予約時点から再生するように制御する。この際、現在の時点で第２放送チャンネルを介して受信される第２放送データの特定プログラムの予約録画が終了したので、第２放送チャンネルを介して受信される第２放送データを引続き格納しない。勿論、再生される第２放送データを削除しないこともできる。
【０１０７】
図１１は、本発明の更に他の実施例に係る放送用端末機の放送データ再生方法の流れ図である。
【０１０８】
図５及び図１１を参照して、本発明の更に他の実施例に係る放送用端末機の放送データ再生方法を詳細に説明すれば、次の通りである。
【０１０９】
まず、第１放送チャンネル予約時点であるかどうかを判断する[Ｓ５９０]。
【０１１０】
ステップＳ５９０の判断結果、第１放送チャンネル予約時点の場合、第１放送チャンネルから受信される第１放送データを再生する[Ｓ６００]。例えば、ステップＳ６００において、使用者は第１放送チャンネルを介した放送を視聴中である。
【０１１１】
そして、受信される第１放送データを再生する中、第２放送チャンネル予約時点であるかどうかを判断する[Ｓ６１０]。
【０１１２】
そして、ステップＳ６１０の判断結果、第２放送チャンネル予約時点の場合、第１放送チャンネルから第１放送データを受信して再生する。この際、第２放送チャンネルから受信した第２放送データを格納する[Ｓ６２０、図５のＢ区間]。
【０１１３】
そして、受信される第１放送データを再生する中、第１放送チャンネルの予約終了時点であるかどうかを判断する[Ｓ６３０]。
【０１１４】
そして、ステップＳ６３０の判断結果、第１放送チャンネルの予約終了時点の場合、第１放送データの再生を終了し[Ｓ６３５]、自動に受信される第２放送データの格納を続けながら、格納された第２放送データをどの過去時点、予約時点から再生するように制御する[Ｓ６４０、図５のＣ区間]。
【０１１５】
そして、再生される第２放送データを削除することができる。
【０１１６】
図１２は、本発明の更に他の実施例に係る放送用端末機の放送データ再生方法の流れ図である。
【０１１７】
図１２を参照すれば、本発明の更に他の実施例に係る放送用端末機の放送データ再生方法のステップＳ５９０’、Ｓ６００’、Ｓ６１０’、Ｓ６２０’、Ｓ５３０’、Ｓ６３５’は、図１１に示す放送用端末機の放送データ再生方法のステップＳ５９０’、Ｓ６００’、Ｓ６１０’、Ｓ６２０’、Ｓ６３０’、Ｓ６３５’と実質的に同一であるので、詳細な説明を省略する。
【０１１８】
ステップＳ６３５’によって、第１放送データの再生を終了した後、第２放送チャンネルを介して受信される第２放送データの特定プログラムの予約録画が終了した場合、自動に格納された第２放送データをどの過去時点、予約時点から再生するように制御する[Ｓ６４０’]。
【０１１９】
ステップＳ６４０’は、現在時点で第２放送チャンネルを介して受信される第２放送データの特定プログラムの予約録画が終了したので、第２放送チャンネルを介して受信される第２放送データを引続き格納しないという点でＳ６４０ステップと異なる。
【０１２０】
図１１に示すステップＳ６５０のように、再生される第２放送データを削除しないこともできる。したがって、本発明の更に他の実施例に係る放送用端末機の放送データ再生方法はステップＳ６５０に対応するステップが存在しない。結果的に、再生される第２放送データを、図１１のように削除するように設定することもでき、図１２のように削除しないように設定することもできる。
【０１２１】
以上、本発明の実施例を説明したが、本発明はこれに限るのではない。
【０１２２】
上記の実施例において、入力部による切換命令入力や放送予約による切換命令入力による多様な放送チャンネル切換方式で説明したが、本発明の放送チャンネル切換方式はこれに限るのでない。例えば、第１放送データの再生中、使用者により入力部を介して第２放送データの格納後、今後、格納時点から、または、格納時点後、特定の時点から格納された第２放送データが再生されることができる。他の例を挙げれば、他チャンネルの放送データを再生中、特定チャンネルの放送データを再生しようとする場合、他チャンネルに対する格納命令後、特定チャンネルの放送データ再生を終了すれば、また他チャンネルの放送データの格納時点から再生することができる。
【０１２３】
また、上記の実施例において、切換時点や予約時点のように格納された第２放送データが再生される特定の過去時点を説明したが、本発明はこれに限るのではない。
【０１２４】
また、上記の実施例において、主画面と副画面に第１及び第２放送データのリアルタイムまたは過去再生が同一な画面に同時に再生される方式を例示的に説明したが、本発明はこれに限るのではない。例えば、３つの放送データがリアルタイムまたは過去再生の多様な組合により同一な画面で再生されることができる。
【０１２５】
以上、説明した本発明は、本発明が属する技術分野で通常の知識を有する者において本発明の技術的思想から外れない範囲内で種々なる置換、変形、及び変更が可能であるので、前述した実施例及び添付の図面により限るのでない。
【図面の簡単な説明】
【０１２６】
【図１】本発明の一実施例に係る放送用端末機の概略的なブロック構成図である。
【図２Ａ】本発明の一実施例に係る放送用端末機において、放送信号の流れを示すためのブロック構成図である。
【図２Ｂ】本発明の他の実施例に係る放送用端末機において、放送信号の流れを示すためのブロック構成図である。
【図３】本発明の一実施例に係る放送用端末機が２つの放送チャンネルを介して放送データを受信、格納、及び再生する時間的な関係を示す図である。
【図４】第２放送チャンネルの特定プログラムを予約した場合、本発明の一実施例に係る放送用端末機が２つの放送チャンネルを介して放送データを受信、格納、及び再生する時間的な関係を示す図である。
【図５】第１及び第２放送チャンネルの特定プログラムを予約した場合、本発明の一実施例に係る放送用端末機が２つの放送チャンネルを介して放送データを受信、格納、及び再生する時間的な関係を示す図である。
【図６】本発明の一実施例に係る放送用端末機が３つの放送チャンネルに適用された例を示す図である。
【図７Ａ】第１放送チャンネルと第２放送チャンネルの放送データが再生される画面である。
【図７Ｂ】第２放送チャンネルの放送データが再生される画面である。
【図７Ｃ】第２放送チャンネルの放送データが再生される画面である。
【図７Ｄ】第２放送チャンネルの放送データが再生される画面である。
【図７Ｅ】第２放送チャンネルの放送データが再生される画面である。
【図８Ａ】第１放送チャンネルの放送データ再生中、第２放送チャンネルの放送データが格納されることを示す画面である。
【図８Ｂ】第１放送チャンネルの放送データ再生中、第２放送チャンネルの放送データが格納されることを示す画面である。
【図９】本発明の他の実施例に係る放送用端末機の放送データ再生方法の流れ図である。
【図１０】本発明の更に他の実施例に係る放送用端末機の放送データ再生方法の流れ図である。
【図１１】本発明の更に他の実施例に係る放送用端末機の放送データ再生方法の流れ図である。
【図１２】本発明の更に他の実施例に係る放送用端末機の放送データ再生方法の流れ図である。
【符号の説明】
【０１２７】
１０    放送用端末機
１００、１００’    放送受信モジュール
１１０、１１０’    入力部
１２０、１２０’    制御部
１３０、１３０’    メモリ
１４０、１４０’    表示部
１５０、１５０’    オーディオ処理部
１６０、１６０’    移動通信モジュール
２００、２００’    スイッチング部
２１０、２１０’    Ａ／Ｖデコーディング部
【図１】
2008113405.tif 000003
【図２Ａ】
2008113405.tif 000004
【図２Ｂ】
2008113405.tif 000005
【図３】
2008113405.tif 000006
【図４】
2008113405.tif 000007
【図５】
2008113405.tif 000008
【図６】
2008113405.tif 000009
【図７Ａ】
2008113405.tif 000010
【図７Ｂ】
2008113405.tif 000011
【図７Ｃ】
2008113405.tif 000012
【図７Ｄ】
2008113405.tif 000013
【図７Ｅ】
2008113405.tif 000014
【図８Ａ】
2008113405.tif 000015
【図８Ｂ】
2008113405.tif 000016
【図９】
2008113405.tif 000017
【図１０】
2008113405.tif 000018
【図１１】
2008113405.tif 000019
【図１２】
2008113405.tif 000020